(57)【要約】【課題】  中庭に面する外壁に全面窓を設けた場合であっても、必要な構造耐力を確保することができる住宅を提供する。【解決手段】住宅１は、リビング２１を有する矩形の第一空間２ａと、前記第一空間２ａから距離を開けて設けられ、玄関を有する矩形の第二空間２ｂと、前記第一空間２ａ及び前記第二空間２ｂを繋ぐ連絡通路２ｃとを有する屋内空間２が平面視コ字状に形成され、当該コ字状の内側に前記第一空間２ａ、前記連絡通路２ｃ、及び前記第二空間２ｂに囲まれた中庭４が配置された住宅１であって、前記第一空間２ａと前記中庭４とを隔てる全面窓６が形成されており、前記全面窓６と平面視略同一直線上で、且つ、前記全面窓６から屋内空間２を挟んだ位置に形成された外壁５ａから屋外側に突出する耐力壁９が形成される。【選択図】図１
2020002660.tif 000002
【特許請求の範囲】
【請求項１】
リビングを有する矩形の第一空間と、前記第一空間から距離を開けて設けられ、玄関を有する矩形の第二空間と、前記第一空間及び前記第二空間を繋ぐ連絡通路とを有する屋内空間が平面視コ字状に形成され、当該コ字状の内側に前記第一空間、前記連絡通路、及び前記第二空間に囲まれた中庭が配置された住宅であって、
前記第一空間と前記中庭とを隔てる全面窓が形成されており、
前記全面窓と平面視略同一直線上で、且つ、前記全面窓から屋内空間を挟んだ位置に形成された外壁から屋外側に突出する耐力壁が形成されることを特徴とする住宅。
【請求項２】
前記耐力壁と平行な１以上の追加耐力壁が前記外壁から突出して形成されることを特徴とする請求項１に記載の住宅。
【請求項３】
前記耐力壁及び前記追加耐力壁の上端に水平ブレースが架設されることを特徴とする請求項２に記載の住宅。
【請求項４】
前記耐力壁及び前記追加耐力壁の屋外側の端部の間に扉が設けられることを特徴とする請求項２又は請求項３に記載の住宅。
【請求項５】
前記玄関から前記連絡通路の一部に延びる土間が形成されるとともに、当該土間は前記連絡通路及び前記第一空間の床面と略同一の高さであり、
前記土間の奥行き方向の長さは前記玄関に設けられた玄関ドアの開口幅の４倍以上であることを特徴とする請求項１から請求項４のいずれかに記載の住宅。
【請求項６】
接道から前記玄関にいたるアプローチにスロープが形成されており、前記アプローチ、前記土間、及び前記床面が無段差で繋がることを特徴とする請求項５に記載の住宅。
【請求項７】
前記中庭の前記屋内空間に囲まれていない面に、前記第一空間を形成する外壁及び前記第二空間を形成する外壁と面一に連続する、少なくとも１階の天井高よりも高い壁体が形成されており、
前記壁体に地面から１ｍ以下の高さの出入口が形成されることを特徴とする請求項１から請求項６のいずれかに記載の住宅。
【請求項８】
前記出入口は、施錠可能な引き戸により開閉自在に形成されることを特徴とする請求項７に記載の住宅。
【発明の詳細な説明】
【技術分野】
【０００１】
本発明は、中庭が設けられた住宅に関し、特に強風のときにも屋内空間が屋外とつながった印象となる住宅に関する。
【背景技術】
【０００２】
従来から、平面視コ字型に形成し、コの字の内側に庭を配置した住宅が知られている（例えば特許文献１参照）。このように配置すると、中庭に面して窓を設けて住宅の屋内に採光や通風を確保することができるとともに、中庭が敷地外に向かって開放している面は限られているので、中庭や屋内空間のプライバシーを確保しやすく、また、中庭には風が侵入しづらいので、強風のときにも植栽等の損傷を抑制でき、住宅内部への風の侵入も抑制できる。
【先行技術文献】
【特許文献】
【０００３】
【特許文献１】特開２００２−２２７４３３号公報
【発明の概要】
【発明が解決しようとする課題】
【０００４】
ところで、中庭に面して形成される窓を、床面から天井面までの大部分を開放した大開口にすると、中庭と屋内空間とが繋がった印象となり、屋内空間にいながら中庭の開放感を感じることができ、屋内空間をより居心地の良い空間とすることができる。
【０００５】
しかし、中庭に面する外壁を大開口とすると、中庭に面する外壁に耐力壁を設けることができず、構造耐力が不足するおそれがある。
【０００６】
そこで本発明は、中庭に面する外壁に全面窓を設けた場合であっても、必要な構造耐力を確保することができる住宅を提供することを目的とする。
【課題を解決するための手段】
【０００７】
本発明の住宅は、リビングを有する矩形の第一空間と、前記第一空間から距離を開けて設けられ、玄関を有する矩形の第二空間と、前記第一空間及び前記第二空間を繋ぐ連絡通路とを有する屋内空間が平面視コ字状に形成され、当該コ字状の内側に前記第一空間、前記連絡通路、及び前記第二空間に囲まれた中庭が配置された住宅であって、前記第一空間と前記中庭とを隔てる全面窓が形成されており、前記全面窓と平面視略同一直線上で、且つ、前記全面窓から屋内空間を挟んだ位置に形成された外壁から屋外側に突出する耐力壁が形成されることを特徴としている。
【０００８】
本発明の住宅は、前記耐力壁と平行な１以上の追加耐力壁が前記外壁から突出して形成されることを特徴としている。
【０００９】
本発明の住宅は、前記耐力壁及び前記追加耐力壁の上端に水平ブレースが架設されることを特徴としている。
【００１０】
本発明の住宅は、前記耐力壁及び前記追加耐力壁の屋外側の端部の間に扉が設けられることを特徴としている。
【００１１】
本発明の住宅は、前記玄関から前記連絡通路の一部に延びる土間が形成されるとともに、当該土間は前記連絡通路及び前記第一空間の床面と略同一の高さであり、前記土間の奥行き方向の長さは前記玄関に設けられた玄関ドアの開口幅の４倍以上であることを特徴としている。
【００１２】
本発明の住宅は、接道から前記玄関にいたるアプローチにスロープが形成されており、前記アプローチ、前記土間、及び前記床面が無段差で繋がることを特徴としている。
【００１３】
本発明の住宅は、前記中庭の前記屋内空間に囲まれていない面に、前記第一空間を形成する外壁及び前記第二空間を形成する外壁と面一に連続する、少なくとも１階の天井高よりも高い壁体が形成されており、前記壁体に地面から１ｍ以下の高さの出入口が形成されることを特徴としている。
【００１４】
本発明の住宅は、前記出入口は、施錠可能な引き戸により開閉自在に形成されることを特徴としている。
【発明の効果】
【００１５】
本発明の住宅によると、屋内空間が平面視コ字状に形成されており、第一空間、連絡通路、及び第二空間に囲まれた中庭が配置されるので、屋外の強風から建物内部を守りつつ、またプライバシーを保ちつつ中庭を通じて通風や採光を得ることができる。また、リビングを有する第一空間と中庭とを隔てる全面窓が形成されているので、屋内に居ながら自然を感じることができる。そして、平面視コ字状の建物の屋内空間と中庭とを隔てる部分が全面窓となることで、当該部分に耐力壁を設けることができず、住宅の構造耐力が不足するおそれがあるが、全面窓と平面視略同一直線上で、且つ、全面窓から屋内空間を挟んだ位置の外壁の屋外側に突出する耐力壁が形成されるので、住宅の構造耐力を補うことができる。特に、全面窓と略同一直線上の位置に耐力壁を配置することで、耐力壁をバランスよく配置することができる。
【００１６】
さらに本発明の住宅によると、耐力壁と平行な１以上の追加耐力壁が外壁から突出して形成されるので、１つの耐力壁の外壁から突出する長さを長くすることなく、複数の耐力壁で住宅の構造耐力を補うことができる。
【００１７】
さらに本発明の住宅によると、耐力壁及び追加耐力壁の上端に水平ブレースが架設されるので、耐力壁及び追加耐力壁が一体的に構造耐力を負担するので、より住宅の構造耐力を補うことができる。
【００１８】
そして、本発明の住宅によると、耐力壁及び追加耐力壁の屋外側の端部の間に扉が設けられるので、耐力壁と追加耐力壁との間の空間を例えば収納空間などに利用することができる。
【００１９】
また、本発明の住宅によると、玄関から連絡通路の一部に延びる土間が形成されており、当該土間は連絡通路及び第一空間の床面と略同一の高さであるので、玄関から段差なく第一空間に入ることができ、バリアフリーが実現できる。そして、土間の奥行き方向の長さは玄関に設けられた玄関ドアの開口幅の４倍以上であるので、屋外から玄関ドアを通って屋内空間に砂埃などが侵入したとしても、土間が奥行き方向に長いので、床面の上にまで砂埃が侵入することを抑制することができる。
【００２０】
本発明の住宅によると、接道から玄関にいたるアプローチにスロープが形成されており、アプローチ、土間、及び床面が無段差で繋がっているので、接道から第一空間のリビングまでの段差を無くすことができ、バリアフリーを実現できる。
【００２１】
本発明の住宅によると、中庭の屋内空間に囲まれていない面に、第一空間を形成する外壁及び第二空間を形成する外壁と面一に連続する、少なくとも１階の天井高よりも高い壁体が形成されているので、中庭を外部から隔てることができ、屋内空間や中庭から見て安心感のある住宅とすることができる。また、壁体に地面から１ｍ以下の高さの出入口が形成されることで、中庭から外部に出入り可能とするとともに、外部からの視線を遮りつつ、中庭に適度な風を導くことができる。
【００２２】
本発明の住宅によると、出入口は、施錠可能な引き戸により開閉自在に形成されるので、例えば強風の場合などに出入口を閉鎖して中庭内への風の侵入を抑制することができるとともに、夜間や不在時などの防犯性を高めることができる。
【図面の簡単な説明】
【００２３】
【図１】住宅の１階の平面構成を示す断面図。
【図２】図１のＩＩ−ＩＩ部分拡大図。
【図３】図１のＩＩＩ−ＩＩＩ部分拡大図。
【図４】住宅の２階の平面構成を示す断面図。
【図５】住宅を南側から見た正面図。
【図６】図１のＩ−Ｉ線で住宅を切断した断面図。
【図７】図６の一点鎖線部分拡大図。
【図８】耐力壁に化粧外装材に固定して、耐力壁と追加耐力壁との間を収納空間として利用する例を説明する図。
【図９】耐力壁及び追加耐力壁の内部構造を説明する図。
【発明を実施するための形態】
【００２４】
以下、本発明に係る住宅１の最良の実施形態について、各図を参照しつつ説明する。本実施形態における住宅１は２階建で、図１及び図４に示すように、１階の屋内空間２と２階の屋内空間とが階段３によって繋がっている。１階の屋内空間２には、図１に示すように、矩形の第一空間２ａと、第一空間２ａから距離を開けて設けられる矩形の第二空間２ｂと、第一空間２ａ及び第二空間２ｂを繋ぐ細長い連絡通路２ｃとが、設けられている。第一空間２ａ、連絡通路２ｃ、及び第二空間２ｂは、北側の外壁５ａが面一になるように配置されており、１階の屋内空間２が平面視略コ字状に形成されている。なお、ここで「平面視略コ字状」とは、住宅１の１階の高さで水平断面を見た場合に、長方形の一辺の中間部が矩形状に凹んで形成される形状をいう。そして、住宅１のコ字状の内側には第一空間２ａ、連絡通路２ｃ、及び第二空間２ｂに囲まれた中庭４が形成されている。中庭４の北側に連絡通路２ｃが形成されており、中庭４の西側に第一空間２ａが形成されており、中庭４の東側に第二空間２ｂが形成されている。
【００２５】
第一空間２ａは、図２に示すように、平面視した場合に１辺が約８ｍの正方形状に形成されており、第一空間２ａの中庭４に面する東側の空間には、リビング２１及びダイニング２２が形成されている。また第一空間２ａの西側の空間には、ダイニング２２に隣接してキッチン２３が形成されており、リビング２１及びキッチン２３に隣接してパントリーなどの収納部２４及び２階に接続する階段３が形成されている。
【００２６】
第一空間２ａは、東側は一部が連絡通路２ｃに面しており、他の部分が中庭４に面している。図２及び図７に示すように、第一空間２ａと中庭４との間には全面窓６が形成されている。第一空間２ａと連絡通路２ｃとの境界には建具が設けられておらず、また、床面及び天井面も段差が設けられていない。第一空間２ａと中庭４との間には全面窓６が形成されている。全面窓６は天井から床面までが透光性を有するガラスで形成されており、水平方向に第一空間２ａと中庭４との境界の全面に亘って形成されている。全面窓６のうち最も南側には居住者が中庭４に出入り可能なガラス製の開き戸６ａが形成されており、開き戸６ａを除く部分が嵌め殺しの窓６ｂとなっている。なお、全面窓６のうち開き戸６ａの枠部分には透明ではない建具枠が形成されている。なお、「全面窓」は、第一空間２ａと中庭４との境界のほとんど全面が光透性を有していればよく、窓枠などの建具枠が形成される場合には、その部分を除いた部分が透明に形成されていればよい。
【００２７】
中庭４は、図２及び図７に示すように、第一空間２ａに沿って形成されるデッキ部４ａと、土の地面となっている表土部４ｂとを有する。デッキ部４ａは、例えばウッドデッキ４ｃが形成されており、上面の高さが第一空間２ａの床面２６ａと略同一高さに形成されている。また、デッキ部４ａの上方には庇４ｄが形成されており、庇４ｄはウッドデッキ４ｃの突出長さとほぼ等しい。さらに、庇４ｄの下面の高さは第一空間２ａの天井の高さとほぼ等しい。第一空間２ａは、全面窓６によって中庭４と繋がっており、床面２６ａがウッドデッキ４ｃの上面の高さとほぼ等しく、天井面が庇４ｄの下面の高さとほぼ等しいので、屋内空間２と屋外の中庭４とを繋がりある空間とすることができる。なお、デッキ部４ａの床はウッドデッキ４ｃに限定されるものではなく、例えば石張りやタイルなどのテラスであってもよい。好ましくは、デッキ部４ａの床は、その上面が第一空間２ａの床面２６ａと同一材料で同一模様であれば、第一空間２ａと中庭４とをより繋がった印象とすることができる。
【００２８】
また、デッキ部４ａの東側には表土部４ｂが形成されており、図示しないが植栽が配置されている。表土部４ｂの地面は、住宅１外部の中庭４に隣接する地面ＧＬと略同じ高さである。そして、図１及び図５に示すように、中庭４の南側には壁体７が形成されている。壁体７は、第一空間２ａの南側の外壁５ｂ、及び第二空間２ｂの南側の外壁５ｂと連続する平面上に形成されており、１階の天井高よりも高く形成されている。壁体７の高さは地面ＧＬから例えば４．５ｍである。第一空間２ａは全面窓６によって中庭４と繋がっているが、このように高い壁体７が形成されて、中庭４が外部との隔てられているので、リビング２１やダイニング２２を有する第一空間２ａが屋外にある中庭４と繋がった印象を有しつつも、住宅１の外部とは遮断した防犯やプライバシーに対する安心感を有する空間とすることができる。
【００２９】
また、壁体７には、図３及び図５に示すように、中庭４から外部に出入り可能な、出入口８が形成されている。出入口８は、幅が約２ｍで、高さが地面ＧＬから１ｍ以下の開口であり、中庭４の表土部４ｂに隣接して形成されている。出入口８には、施錠可能な引き戸８ａが開閉自在に設けられている。引き戸８ａは中庭４側からのみ施錠可能な構成としてもよいし、中庭４側及び外部側のいずれからも施錠可能な構成としてもよい。このように壁体７に出入口８が設けられており、且つ表土部４ｂの地面と住宅１外部の中庭４に隣接する地面ＧＬとが略同じ高さであるので、出入口８を開放することで、中庭４の表土部４ｂの地面と外部の地面ＧＬとが段差無く繋がっており、壁体７を設けつつも中庭４を広がり有る印象とすることができる。また、出入口８を開放することで、住宅１の外部から中庭４の地面付近に風を導くことができる。そして、出入口８を１ｍ以下の開口とすることで、出入口８が開放された状態においても、外部にいる大人の視線をほとんど遮ることができる。とくに、中庭４と全面窓６によって繋がっている第一空間２ａの床面２６ａは地面ＧＬよりも５００ｍｍ程度高くなっているので、出入口８の高さを地面ＧＬから１ｍとすることで、外部からの視線が第一空間２ａに届くことを防止できる。
【００３０】
全面窓６と平面視略同一直線上で、且つ、全面窓６から屋内空間２を挟んだ位置に、図１、図２、図８、及び図９に示すように、北側の外壁５ａから屋外側に突出する耐力壁９が形成されている。この耐力壁９は、北側の外壁５ａから水平方向に例えば１．５ｍ突出するように形成されており、フレーム９ａとフレーム９ａの内側にＸ字状に固定されるブレース９ｂとを有している。また、北側の外壁５ａには、前述の耐力壁９と平行に２つの追加耐力壁１０が突出して形成されている。追加耐力壁１０は、隣接する耐力壁９から１ｍ距離を開けて形成されている。追加耐力壁１０は前述の耐力壁９と同様の構成である。そして、耐力壁９及び追加耐力壁１０の上端の間、及び追加耐力壁１０の上端同士の間にそれぞれ水平フレーム１１ｂが架設され、当該水平フレーム１１ｂの内側に水平ブレース１１ａがＸ字状に架設されている。
【００３１】
このように、第一空間２ａと中庭４とを隔てる部分が全面窓６となることで、当該部分に耐力壁を設けることができず、住宅１の構造耐力が不足するおそれがあるが、上述の通り、全面窓６と平面視略同一直線上で、且つ、全面窓６から屋内空間２を挟んだ位置の外壁５ａの屋外側に突出する耐力壁９が形成することで、住宅１の構造耐力をバランスよく補うことができる。しかも、耐力壁９と２つの追加耐力壁１０とをそれぞれ北側の外壁５ａから突出させることで、突出する長さを長くすること無く大きな耐力を負担することができ、上端に設けられた水平ブレース１１ａによって、耐力壁９及び追加耐力壁１０が一体的に構造耐力を負担するので、より住宅１の構造耐力を補うことができる。
【００３２】
耐力壁９、追加耐力壁１０、及び水平ブレース１１ａは、図８及び図９に示すように、化粧外装材１２に収納されて、耐力壁９及び追加耐力壁１０の屋外側の端部の間に扉１３が設けられることが好ましい。このように構成すれば、耐力壁９と追加耐力壁１０との間の空間を外部の物置などの収納空間１４として利用することができる。
【００３３】
連絡通路２ｃは、図１から図３に示すように、幅が約２ｍで長さが約８ｍの長い通路であり、第一空間２ａと第二空間２ｂとを繋いでいる。連絡通路２ｃの第一空間２ａ側の４ｍがフローリングの床面２６ｂとなっており、第二空間２ｂ側の４ｍが土間２５ｂとなっている。連絡通路２ｃの土間２５ｂ部分は幅２ｍの内、約１ｍ分に下駄箱などの造作収納が形成されており、居住者が通過可能な土間２５ｂの通路幅は約１ｍとなっている。
【００３４】
第二空間２ｂは、図３に示すように、間口方向（南北方向）が８ｍで奥行き方向（東西方向）が４ｍの平面視長方形状である。第二空間２ｂの北東角の東側の外壁５ｃに玄関ドア１５が設けられた玄関が形成されている。本実施形態の玄関は、玄関ホールが設けられておらず、土間２５ａのみが設けられている。玄関ドア１５は開口幅が約１ｍの引き戸で形成されている。そして玄関ドア１５の屋内側には、土間２５ａが形成されている。土間２５ａは、幅が１ｍで北側の外壁５ａに沿って、奥行き方向に４ｍ続いており、連絡通路２ｃの土間２５ｂに接続している。第二空間２ｂの土間２５ａ、連絡通路２ｃの土間２５ｂ、連絡通路２ｃの床面２６ｂ、及び第一空間２ａの床面２６ａは全て同一高さに形成されており、段差のないバリアフリーとなっている。なお、ここで「床面」は、例えばフローリング、畳などの土足禁止のエリアをいい、「土間」は、例えば三和土、コンクリート打ち、タイル貼りなどの土足エリアをいう。
【００３５】
玄関ドア１５の開口幅が１ｍであるのに対して、土間２５ａ，ｂの奥行き方向の長さは第二空間２ｂの土間２５ａと連絡通路２ｃの土間２５ｂとをあわせて８ｍとなっている。このように、玄関ドア１５の開口幅に比して、土間２５ａ，ｂの奥行き方向の長さが８倍の長さに形成されていることで、上がり框のような段差を設けることが無くても、外部から玄関を通過して屋内空間２に舞い込む砂埃などの異物が、土足禁止エリアである連絡通路２ｃ及び第一空間２ａの床面２６ａにまで入り込むことを抑制することができる。なお、土間２５ａ，ｂの奥行き方向の長さは上述の寸法に限定されるものではなく玄関ドア１５の開口幅の４倍以上であればよい。
【００３６】
第二空間２ｂの南側には和室２７が形成されており、土間２５ａと和室２７との間に収納庫２８及びトイレ２９が形成されている。また、土間２５ａと和室２７とを繋ぐ土間廊下３０が第二空間２ｂの東側の外壁５ｃに沿って形成されている。第二空間２ｂの北側に設けられた土間２５ａと、当該土間廊下３０との間には間仕切戸３１が開閉自在に設けられている。また、第二空間２ｂの中庭４側にはフローリングの縁側３２が形成されており、縁側３２と中庭４との間に採光窓３３が設けられるとともに縁側３２と和室２７との間に明障子３４が設けられている。このように配置することで、中庭４から縁側３２を介して和室２７に自然光を取り入れることができる。なお、和室２７の上には、図４に示すように、トップライト３５が形成されており、トップライト３５からも自然光を取り入れることができる。
【００３７】
また、図１及び図５に示すように、第二空間２ｂの玄関ドア１５を挟んで東側の屋外には、玄関ポーチ３６が形成されている。玄関ポーチ３６の一部には接道３７から繋がるアプローチ３８が設けられており、当該アプローチ３８にスロープ３９が設けられて、アプローチ３８、玄関の土間２５ａ、連絡通路２ｃの土間２５ｂ、連絡通路２ｃの床面２６ｂ、及び第一空間２ａの床面２６ａが無段差で繋がっている。また、アプローチ３８に隣接して、当該アプローチ３８の東側に車寄せ４０が形成されている。玄関ポーチ３６及び車寄せ４０の上方には、住宅１の２階の屋内空間が突出して形成されており、住宅１の２階の東側の先端から地面に至る壁部４１が形成されている。壁部４１は、玄関ポーチ３６及び車寄せ４０を挟んで玄関ドア１５に対向している。このように壁部４１が設けられることで、玄関ドア１５が開いた場合でも風が直接玄関の屋内空間２に侵入することを防止できるので、玄関ドア１５の開口から強風が屋内に侵入することをがなく、砂埃などが屋内の連絡通路２ｃや第一空間２ａの床面２６ａにまで侵入することを防止できる。
【００３８】
なお、住宅１の２階の屋内空間は、図４に示すように、１階の第一空間２ａの上に形成される第三空間４２、連絡通路２ｃの上に形成される２階通路４３、及び１階の第二空間２ｂの一部、玄関ポーチ３６、及び車寄せ４０の上に形成される第四空間４４とを有する。第三空間４２は、複数の寝室４５とウォークインクローゼット４６、トイレ４７が形成されており、中庭４に面する側にバルコニー４８が設けられている。また２階通路４３は幅が２ｍで中庭４に面した一部に窓４９が形成されている。第四空間４４は、第二空間２ｂの北側部分の上方、玄関ポーチ３６及び車止めの上方に跨って長方形状に形成されており、バスルーム５０、洗面所５１、洗濯所５２、及びバルコニー５３が形成されている。２階部分は１階に壁体７が形成されている南側及び１階に和室２７が形成されている南東側に住宅１の構造物が設けられておらず開放されているので、朝から昼に掛けて中庭４に太陽光を取り入れやすい。
【００３９】
以上のように、本実施形態の住宅１は中庭４によって住宅１の各部への採光や通風を保ちつつ、中庭４が壁体７によって閉じられていることで、強風時に強い風が屋内空間２に侵入することを防止できる。そして、第一空間２ａと中庭４との間に全面窓６を設けることで、屋内空間２と屋外とが繋がりある印象とすることができ、全面窓６によって住宅１の構造耐力に不足が生じても耐力壁９及び追加耐力壁１０を形成することで耐力を補強することができる。
【００４０】
本発明の実施の形態は上述の形態に限ることなく、本発明の思想の範囲を逸脱しない範囲で適宜変更することができることは云うまでもない。
【産業上の利用可能性】
【００４１】
本発明に係る住宅１は、特に強風が多い地域の住宅１として好適である。
【符号の説明】
【００４２】
１      住宅
２      屋内空間
２ａ    第一空間
２ｂ    第二空間
２ｃ    連絡通路
４      中庭
６      全面窓
７      壁体
８      出入口
９      耐力壁
１０    追加耐力壁
１１ａ  水平ブレース
２５ａ  第二空間の土間
２５ｂ  連絡廊下の土間
２６ａ  第一空間の床面
２６ｂ  連絡廊下の床面
３７    接道
３８    アプローチ
３９    スロープ
【図１】
2020002660.tif 000003
【図２】
2020002660.tif 000004
【図３】
2020002660.tif 000005
【図４】
2020002660.tif 000006
【図５】
2020002660.tif 000007
【図６】
2020002660.tif 000008
【図７】
2020002660.tif 000009
【図８】
2020002660.tif 000010
【図９】
2020002660.tif 000011